(57)【要約】      （修正有）【課題】ネジの締結作業を行うことなくスルーアクスルを着脱することのできる、スルーアクスルの装着装置を提供すること。【解決手段】スルーアクスル１の一端部に設けられた環状の係止溝１１と、この係止溝１１に係止される係止体２１を備えたストッパー体２とで構成する。前記ストッパー体２は、前記係止体２１と、前記スルーアクスル１の端部に着脱可能に嵌装される内筒と、この内筒に対して軸方向に移動可能に嵌装された外筒２３とを備えている。前記内筒の透孔２４にスルーアクスルの係止溝１１に係脱自在に係止する係止体２１が装着されている。前記外筒２３は、前記係止体２１を係止溝１１への係止状態に保持する環状のストッパー凸部２６を備え、前記内筒と外筒２３との間にスプリング５が配設され、このスプリング５によって前記内筒と外筒２３は離反方向又は引きつけ方向に付勢されている。【選択図】図２
2017095026.tif 000002
【特許請求の範囲】
【請求項１】
自転車フレームのフォーク及び／又はフレームエンドのスルーアクスル装着孔にスルーアクスルを着脱可能に装着する装置であって、
前記スルーアクスルの一端部に設けられた環状の係止溝と、この係止溝に係止される係止体を備えたストッパー体とで構成され、
前記ストッパー体は、前記係止体と、前記スルーアクスルの前記係止溝側端部に着脱可能に嵌装される内筒と、この内筒に対して軸方向に移動可能に嵌装された外筒とを備え、
前記内筒は、係止体装着用の透孔を有し、この透孔に前記スルーアクスルに形成した係止溝に係脱自在に係止する係止体が装着され、外周に前記フォークの外壁面に当接する当接凸部が設けられ、
前記外筒は、前記係止体を係止溝への係止状態に保持する環状のストッパー凸部を備え、
前記内筒と外筒との間にスプリングが配設され、このスプリングによって前記内筒と外筒が離反方向又は引きつけ方向に付勢された、
自転車のスルーアクスルの装着装置。
【請求項２】
内筒の係止体装着用の透孔及び外筒のストッパー凸部は、それぞれ内筒及び外筒の先端側に設けられ、内筒と外筒との間に前記外筒を内筒の先端側に付勢するスプリングが配設された、請求項１記載の自転車のスルーアクスルの装着装置。
【請求項３】
内筒の係止体装着用の透孔及び外筒のストッパー凸部は、それぞれ内筒及び外筒の基端側に設けられ、内筒と外筒との間に前記外筒を内筒の基端側に付勢するスプリングが配設された、請求項１記載の自転車のスルーアクスルの装着装置。
【請求項４】
係止体は球体とした、請求項１ないし３の何れかに記載の自転車のスルーアクスルの装着装置。
【発明の詳細な説明】
【技術分野】
【０００１】
この発明は、スルーアクスル（貫通軸）を用いて車輪を自転車フレームに取り付けるようにした構造において、スルーアクスルの着脱、すなわち車輪の着脱を容易に行えるようにした装置に関するものである。
【背景技術】
【０００２】
ロードバイクやマウンテンバイクなど、通常の使用において車輪の着脱が行われる自転車においては、従来クイックリリース式のハブが使用されている。これは、自転車フレームのフォーク及びフレームエンドの先端に形成された溝にハブ軸を嵌め、ハブ軸に取付けられたロックナットの端面とフォーク、フレームエンドとを当接させ、クイックリリーススキュアー（串軸）両端のレバーと調整ナットにより締付けて固定する構造である。
【０００３】
近年、自転車にディスクブレーキが採用されるようになり、クイックリリース式のハブでは着脱時のディスクブレーキの位置決め処理が難しいという問題が生じている。また、特にマウンテンバイクのようにハブに大きな負荷がかかる自転車においては、車輪の支持強度を高めることも要求される。
そこで、車輪のハブを装着する軸としてスルーアクスルを使用する構造が多用されるようになっている。
【０００４】
スルーアクスルは、車輪のハブを装着するために左右のフォークの間に取り付けられる貫通軸である。スルーアクスルが装着される左右のフォークには先端の溝がなく、スルーアクスル装着用の孔が設けられている。一方の孔からスルーアクスルを挿入し、他方の孔に形成された雌ネジにスルーアクスルの端部に設けられた雄ネジを締め付けた後に、レバーを操作してスルーアクスルをフォークに固定するようになっている。
すなわち、レバーの操作のみで貫通軸を着脱することはできず、ネジの締結作業が必要とされている。スルーアクスルの一例として以下の特許文献がある。
【先行技術文献】
【特許文献】
【０００５】
【特許文献１】特開２０１５−７１４０６号公報
【発明の概要】
【発明が解決しようとする課題】
【０００６】
この発明は、ネジの締結作業を行うことなくスルーアクスルを着脱することのできる、スルーアクスルの装着装置を得ることを課題とするものである。
【課題を解決するための手段】
【０００７】
この発明のスルーアクスルの装着装置は、以下のように、スルーアクスルの一端部に設けられた環状の係止溝と、この係止溝に係止される係止体を備えたストッパー体とで構成する。
前記ストッパー体は、前記係止体と、前記スルーアクスルの前記係止溝側端部に着脱可能に嵌装される内筒と、この内筒に対して軸方向に移動可能に嵌装された外筒とを備えている。
前記内筒は、係止体装着用の透孔を有し、この透孔に前記スルーアクスルに形成した係止溝に係脱自在に係止する係止体が装着され、外周に前記フォークの外壁面に当接する当接凸部が設けられている。
前記外筒は、前記係止体を係止溝への係止状態に保持する環状のストッパー凸部を備え、前記内筒と外筒との間にスプリングが配設され、このスプリングによって前記内筒と外筒は離反方向又は引きつけ方向に付勢されている。
【０００８】
前記内筒の係止体装着用の透孔及び外筒のストッパー凸部の位置並びにスプリングの付勢方向は、スルーアクスルの係止溝に係止した係止体をストッパー凸部が押さえつけ、押さえつけられた状態が保持されるようにスプリングが作用する関係であればよい。
具体例としては、内筒の係止体装着用の透孔及び外筒のストッパー凸部は、それぞれ内筒及び外筒の先端側に設け、内筒と外筒との間に前記外筒を内筒の先端側に付勢するスプリングを配設する構成（請求項２）や、内筒の係止体装着用の透孔及び外筒のストッパー凸部は、それぞれ内筒及び外筒の基端側に設け、内筒と外筒との間に前記外筒を内筒の基端側に付勢するスプリングを配設する構成（請求項３）がある。
前記係止体は球体が適切であるが、これに限定されるものではない。
以下、フレームのフォーク（前輪）に適用した例を説明するが、フレームエンド（後輪）においても同様の構造を適用することができる。
【発明の効果】
【０００９】
この発明において、ストッパー体はあらかじめフォーク及びフレームエンドのスルーアクスル装着用の孔に取り付けておく。
スルーアクスルと固定するとき（車輪を取り付けるとき）は、ストッパー体の外筒をフォーク側に押し込み、又は外側に引き出すことによって、外筒による係止体の押圧を解除した状態として、スルーアクスルの先端をストッパー体の内筒に挿入すると、係止体が係止溝に係止する。この状態で外筒をフリーにすると、外筒はスプリングの力によって移動し、外筒のストッパー凸部が係止体を押圧し、スルーアクスルの先端はフォークに固定される。
スルーアクスルを取り外すとき（車輪を取り外すとき）は、ストッパー体の外筒による係止体の押圧を解除してスルーアクスルを引き抜けば良い。
したがって、工具を用いることなく、スルーアクスルを着脱することができる。
また、スルーアクスルとストッパー体とは軸方向で係止されているので、自転車の走行時にスルーアクスルがはずれるおそれはない。
【図面の簡単な説明】
【００１０】
【図１】この発明の実施例１の断面図であり、上側は解除状態、下側は固定状態を示す。
【図２】同じく一部拡大断面図
【図３】同じく、一部を断面とした斜視図（スプリングは省略）
【図４】同じく分解斜視図
【図５】同じく固定状態の一部断面斜視図
【図６】同じく解除状態のストッパー体を断面で示した分解斜視図
【図７】この発明の実施例２の断面図であり、上側は解除状態、下側は固定状態を示す。
【図８】同じく一部拡大断面図
【図９】同じく、一部を断面とした斜視図（スプリングは省略）
【図１０】同じく分解斜視図
【図１１】同じく固定状態の一部断面斜視図
【図１２】同じく解除状態のストッパー体を断面で示した分解斜視図
【実施例１】
【００１１】
図１ないし図６に基づいてこの発明の実施例１を説明する。
スルーアクスル１の先端部（レバー１２のない側）に設けられた環状の係止溝１１と、この係止溝に係止される金属球である係止体２１を備えたストッパー体２とで、自転車のスルーアクスルの装着装置を構成する。
前記係止溝１１は、スルーアクスル１を引き抜く際に係止体２１がスムーズに移動できるよう、先端側を傾斜させた断面形状としてある。
前記ストッパー体２は、前記係止体２１、前記スルーアクスル１の端部に着脱可能に嵌装される内筒２２と、この内筒２２に対して軸方向に移動可能に嵌装された外筒２３とを備えている。
【００１２】
前記内筒２２は先端部に、係止体２１が装着される透孔２４を有し、この透孔２４に前記スルーアクスル１に形成した係止溝１１に係脱自在に係止する係止体２１が装着されている。そして、外周に自転車フレームのフォーク４の外壁面に当接する当接凸部２５が設けてある。
前記外筒２３は、前記係止体２１を係止溝１１への係止状態に保持する環状のストッパー凸部２６を備えている。このストッパー凸部２６の先端側には大径部２７が形成してあり、外筒２３をフォーク側に移動させたときにストッパー凸部２６による係止体２１の押圧が解除されるようにしてある（図２の上側参照）。
前記内筒２２の基部側と外筒２３のストッパー凸部２６の基部側との間にスプリング５が配設され、このスプリング５によって外筒２３は内筒２２の先端側に付勢され（外筒と内筒は離反方向に付勢される）、常態においてストッパー凸部２６が係止溝１１に対向するようにしてある（図２の下側参照）。
【００１３】
前記内筒２２は基端部に雄ネジ２８を形成し、この雄ネジ２８を前記フォーク４のスルーアクスル１の装着用の孔４１にあらかじめ形成された雌ネジに締め付けて固定する。なお、ネジによる固定に代えて溶接などとすることもできる。
符号１２はスルーアクスル１に両フォーク間のテンションを調節するレバーである。
【００１４】
この実施例において、スルーアクスル１の固定時には、スルーアクスル１の先端部において、ストッパー体２の係止体２１がスルーアクスル１の係止溝１１に嵌まっている。また、この係止体２は外筒２３のストッパー凸部２６によって押さえられており、外筒２３はスプリング５によって付勢されているので軸方向に移動することはできない。
このようにしてスルーアクスル１の端部は所定の位置に固定され、レバー１２によってスルーアクスル１にテンションが加わることにより、スルーアクスル１はフォーク４に固定され、固定状態が維持される。
【００１５】
スルーアクスル１を固定する作業は以下の通りである。
外筒２３をスプリング５の付勢に対抗してフォーク方向へ押し込み
、ストッパー凸部２６による係止体２１の押圧を解除する。この状態でスルーアクスル１の先端を内筒２２に挿入し、係止溝１１を係止体２１に対向させ、次いで外筒２３をフリーにする。外筒２３はスプリング５の力によって内筒２２の先端側に移動し、係止体２１はストッパー凸部２６によって押し下げられ、スルーアクスル１は固定される。
ストッパー体２はあらかじめフォーク４の孔４１に固定されているので、上記作業においてネジの締結は不要である。ストッパー体２にスルーアクスル１をはめ込む作業とレバー１２の操作のみで、スルーアクスルの固定作業は完了する。
【００１６】
スルーアクスルを取り外すときは、レバー１２を操作してテンションを解除した後、ストッパー体２の外筒２３をスプリング５の力に抗してフォーク４側へ押し込む。外筒２３が軸方向に移動すると、ストッパー凸部２６の位置がずれるので係止体２１の押圧は解除される。この状態でスルーアクスル１をレバー１２側へ引き抜くと、スルーアクスル１はストッパー体２から離脱し、引き抜くことができる。
【実施例２】
【００１７】
図７ないし図１２は、外筒を引き出すことによって係止体の押圧を解除するようにしたものであり、以下に記す構造以外は実施例１と共通である。
【００１８】
内筒２２は、基端側に金属球である係止体２１が装着される透孔２４を有し、この透孔２４に前記スルーアクスル１に形成した係止溝１１に係脱自在に係止する係止体２１が装着されている。そして、外周に自転車フレームのフォーク４の外壁面に当接する当接凸部２５が設けてある。
外筒２３は基端側に、前記係止体２１を係止溝１１への係止状態に保持する環状のストッパー凸部２６を備えている。このストッパー凸部２６の基端側には大径部２７が形成してあり、外筒２６を反フォーク側に移動させたときにストッパー凸部２６による係止体２１の押圧が解除されるようにしてある。符号２９は外筒２３を内筒２２の先端側に移動させるための指掛部である。
前記内筒２２の先端部と外筒２３のストッパー凸部２６の先端側との間にスプリング５が配設され、このスプリング５によって外筒２３は内筒２２の基端側に付勢され（外筒と内筒２２は引きつけ方向に付勢される）、常態においてストッパー凸部２６が係止溝１１に対向するようにしてある。
【００１９】
内筒２２の先端部には、前記スプリング５に対応するバネアンカー３０がはめ込んであり、前記バネアンカー３０の先端側に円周状の溝が設けられ、Ｃリング３１がはめ込まれている。Ｃリング３１の外周径はバネアンカーの内面最小径よりも大きくしてあり、バネアンカーは内筒の先端方向への移動が規制される。そして、バネアンカー３０，スプリング５を介して位置決めされる外筒２３の先端側への移動も規制され、外筒が脱落することはない。
【００２０】
この実施例においても、スルーアスクル１の係止溝１１に係止体２１が係止し、ストッパー凸部２６によって押圧されてスルーアクスル１が固定されることは、実施例１と同様である。
スルーアクスル１の着脱時には、実施例１と異なり、外筒２３を内筒２２の先端側へ引くことによって、ストッパー凸部２６による係止体２１の押圧を解除し、スルーアクスル１の移動を可能とする。
【産業上の利用可能性】
【００２１】
この発明によれば、工具を用いることなくスルーアクスルを着脱することができ、産業上の利用可能性を有するものである。
【符号の説明】
【００２２】
１      スルーアクスル
１１    係止溝
１２    レバー
２      ストッパー体
２１    係止体
２２    内筒
２３    外筒
２４    透孔
２５    当接凸部
２６    ストッパー凸部
２７    大径部
２８    雄ねじ
２９    指掛け部
３０    バネアンカー
３１    Ｃリング
４      フレームのフォーク
４１    孔
５      スプリング  
【図１】
2017095026.tif 000003
【図２】
2017095026.tif 000004
【図３】
2017095026.tif 000005
【図４】
2017095026.tif 000006
【図５】
2017095026.tif 000007
【図６】
2017095026.tif 000008
【図７】
2017095026.tif 000009
【図８】
2017095026.tif 000010
【図９】
2017095026.tif 000011
【図１０】
2017095026.tif 000012
【図１１】
2017095026.tif 000013
【図１２】
2017095026.tif 000014